(57)【要約】　　　（修正有）【課題】　ラベルマシンの紙送出装置の提供。【解決手段】　ラベルマシン内部に配置され、回転軸と、該回転軸を支持する支持フレームと、該回転軸の一側に配置され且つラベルマシン内部の伝動機構に駆動されて回転軸を駆動し回転させる従動手段と、該回転軸両側に配置された制限手段で構成されている。該紙送出装置１０がラベルマシン内部に配置される時、着脱可能な分離式回転軸を形成し、修理に不便で、着脱が煩瑣である問題を解決し、またラベルマシン下蓋６の送出エリア６１に送出装置前後に位置する検出ユニット８が配置され、紙（ラベル紙）の印刷完成後の送出を検出して位置決めするのに供され、或いはラベルマシン前蓋の送出口に検出ユニットが配置されて、紙が印刷完成して前蓋９の送出口９１より送出されるのを検出し、紙が使用者に切り取られた時、ラベルマシンは次の印刷完成したラベル紙を送出口外部に送出し、使用者の使用に供する。【選択図】図３
0003100167.tif 000002
【実用新案登録請求の範囲】
【請求項１】
　ラベルマシンの紙送出装置において、ラベルマシンの下蓋の送出エリアと送出エリア両側の組み付けエリアに配置され、
　上述の送出エリアに配置され、回転部を具えたロッドを具えた回転軸と、
　該ロッドの両側に配置され、それぞれ支持部を具え、該支持部内に収容空間があり、該支持部の二つの自由端に組み付けエリアに配置された係止部が延設され、別に該支持部の両側に相互に対称な組み付け部が延設され、この組み付け部に組み付け孔が設けられた支持フレームと、
　該ロッドの一側に組み付けられた従動手段と、
　を具え、紙送出装置がラベルマシンの下蓋の送出エリアに配置される時に着脱可能な分離式回転軸を形成することを特徴とする、ラベルマシンの紙送出装置。
【請求項２】
　請求項１記載のラベルマシンの紙送出装置において、ロッドの二つの自由端に凹部があり、該凹部に制限手段が配置され、且ついずれかの自由端に位置合わせ部が設けられたことを特徴とする、ラベルマシンの紙送出装置。
【請求項３】
　請求項１記載のラベルマシンの紙送出装置において、支持部の両側に係止部が設けられたことを特徴とする、ラベルマシンの紙送出装置。
【請求項４】
　請求項１記載のラベルマシンの紙送出装置において、組み付けエリアに支持部の係止部と係合する係止部が設けられたことを特徴とする、ラベルマシンの紙送出装置。
【請求項５】
　請求項１記載のラベルマシンの紙送出装置において、従動手段が歯車で構成され、それに噛合部が設けられ、且つ中央に組み付け孔が設けられ、この組み付け孔に、ロッドの自由端に設けられた位置合わせ部と対応し組み合わされる位置合わせ面が設けられたことを特徴とする、ラベルマシンの紙送出装置。
【請求項６】
　請求項１記載のラベルマシンの紙送出装置において、ラベルマシンの下蓋の送出エリアに紙検出装置が配置され、該紙検出装置が紙送出装置の前或いは後ろに配置された検出ユニットとされて紙の定位を検出することを特徴とする、ラベルマシンの紙送出装置。
【請求項７】
　請求項６記載のラベルマシンの紙送出装置において、検出ユニットがクローズエンド式、感応式、接触式の任意のセンサで構成されたことを特徴とする、ラベルマシンの紙送出装置。
【請求項８】
　請求項７記載のラベルマシンの紙送出装置において、紙がラベル紙とされたことを特徴とする、ラベルマシンの紙送出装置。
【請求項９】
　請求項７記載のラベルマシンの紙送出装置において、紙検出装置がラベルマシンの前蓋に配置され、且つ前蓋の送出口に位置する検出ユニットを具え、紙が使用者により切り取られる時に、検出ユニットが紙の切り取りを検出して信号をラベルマシンに送り、ラベリングマシンが次のバーコードの印刷完成した紙を送出口外部に送り、使用者の使用に供することを特徴とする、ラベルマシンの紙送出装置。
【考案の詳細な説明】
【技術分野】
【０００１】
　本考案は一種のラベルマシンの紙送出装置に係り、特に紙の動作を検出し着脱が容易である紙送出装置に関する。
【背景技術】
【０００２】
　図１は周知のラベルマシン１ａの出紙構造を示す。ラベルマシン１ａは上押し手段１１１ａの上蓋１１ａと底座１２ａを具え、該出紙構造は該底座１２ａに設けられると共に上押し手段１１１ａに対応する上回転軸２１ａ、及び底座１２ａに設けられ且つ該上回転軸２１ａの外側に置かれた側回転軸２２ａを具えている。該上回転軸２１ａ及び側回転軸２２ａはいずれも該底座１２ａに枢設されている。該上押し手段１１１ａは両端に該上回転軸２１ａを制圧する保持口１１２ａを具えている。
【０００３】
　交換或いは修理が必要な状況が起きた時（例えば、ラベル紙の交換或いは紙づまりの時）、該ラベルマシン１ａはその固定式の上回転軸２１ａ及び側回転軸２２ａに煩瑣な着脱動作を行なわねば問題の発生した部分がどこであるかの検査が行なえない。ゆえにラベルマシン１ａは実際の使用上、修理に不便で着脱が煩瑣であり、不便であった。
【０００４】
　このほか、一般に周知のラベルマシンがラベル紙にバーコードを印刷する時、印刷完了後に、ラベルマシンは一回に全ての印刷完成したラベル紙を全部送出し、この時、印刷後の過多のラベル紙が卓上に落ち、ラベル紙上のバーコードのカーボンやインクが完全に乾いていないと、バーコードがこすれて曖昧になり、消耗品の浪費を形成する。
【考案の開示】
【考案が解決しようとする課題】
【０００５】
　本考案の主要な目的は、従来の技術の欠点を解決し、欠点の存在を無くした新たな紙送出装置を提供することにある。この紙送出装置はラベルマシン内部に取り付けられた後、着脱可能な分離式回転軸を形成し、修理に不便で着脱が煩瑣な問題を解決し、また紙送出の動作状態を検出する。
【課題を解決するための手段】
【０００６】
　請求項１の考案は、ラベルマシンの紙送出装置において、ラベルマシンの下蓋の送出エリアと送出エリア両側の組み付けエリアに配置され、
　上述の送出エリアに配置され、回転部を具えたロッドを具えた回転軸と、
　該ロッドの両側に配置され、それぞれ支持部を具え、該支持部内に収容空間があり、該支持部の二つの自由端に組み付けエリアに配置された係止部が延設され、別に該支持部の両側に相互に対称な組み付け部が延設され、この組み付け部に組み付け孔が設けられた支持フレームと、
　該ロッドの一側に組み付けられた従動手段と、
　を具え、紙送出装置がラベルマシンの下蓋の送出エリアに配置される時に着脱可能な分離式回転軸を形成することを特徴とする、ラベルマシンの紙送出装置としている。
　請求項２の考案は、請求項１記載のラベルマシンの紙送出装置において、ロッドの二つの自由端に凹部があり、該凹部に制限手段が配置され、且ついずれかの自由端に位置合わせ部が設けられたことを特徴とする、ラベルマシンの紙送出装置としている。
　請求項３の考案は、請求項１記載のラベルマシンの紙送出装置において、支持部の両側に係止部が設けられたことを特徴とする、ラベルマシンの紙送出装置としている。
　請求項４の考案は、請求項１記載のラベルマシンの紙送出装置において、組み付けエリアに支持部の係止部と係合する係止部が設けられたことを特徴とする、ラベルマシンの紙送出装置としている。
　請求項５の考案は、請求項１記載のラベルマシンの紙送出装置において、従動手段が歯車で構成され、それに噛合部が設けられ、且つ中央に組み付け孔が設けられ、この組み付け孔に、ロッドの自由端に設けられた位置合わせ部と対応し組み合わされる位置合わせ面が設けられたことを特徴とする、ラベルマシンの紙送出装置としている。
　請求項６の考案は、請求項１記載のラベルマシンの紙送出装置において、ラベルマシンの下蓋の送出エリアに紙検出装置が配置され、該紙検出装置が紙送出装置の前或いは後ろに配置された検出ユニットとされて紙の定位を検出することを特徴とする、ラベルマシンの紙送出装置としている。
　請求項７の考案は、請求項６記載のラベルマシンの紙送出装置において、検出ユニットがクローズエンド式、感応式、接触式の任意のセンサで構成されたことを特徴とする、ラベルマシンの紙送出装置としている。
　請求項８の考案は、請求項７記載のラベルマシンの紙送出装置において、紙がラベル紙とされたことを特徴とする、ラベルマシンの紙送出装置としている。
　請求項９の考案は、請求項７記載のラベルマシンの紙送出装置において、紙検出装置がラベルマシンの前蓋に配置され、且つ前蓋の送出口に位置する検出ユニットを具え、紙が使用者により切り取られる時に、検出ユニットが紙の切り取りを検出して信号をラベルマシンに送り、ラベリングマシンが次のバーコードの印刷完成した紙を送出口外部に送り、使用者の使用に供することを特徴とする、ラベルマシンの紙送出装置としている。
【考案の効果】
【０００７】
　本考案は、従来の技術の欠点を解決し、欠点の存在を無くした新たなラベルマシンの紙送出装置を提供している。この紙送出装置はラベルマシン内部に取り付けられた後、着脱可能な分離式回転軸を形成し、従来の、修理に不便で着脱が煩瑣な問題を解決し、また紙送出の動作状態を検出する。
【考案を実施するための最良の形態】
【０００８】
　本考案のラベルマシンの紙送出装置は、ラベルマシン内部に配置され、回転軸と、該回転軸を支持する支持フレームと、該回転軸の一側に配置され且つラベルマシン内部の伝動機構に駆動されて回転軸を駆動し回転させる従動手段と、該回転軸両側に配置された制限手段で構成されている。該紙送出装置がラベルマシン内部に配置される時、着脱可能な分離式回転軸を形成し、修理に不便で、着脱が煩瑣である問題を解決し、またラベルマシン下蓋の送出エリアに送出装置前後に位置する検出ユニットが配置され、紙（ラベル紙）の印刷完成後の送出を検出して位置決めするのに供され、或いはラベルマシン前蓋の送出口に検出ユニットが配置されて、紙が印刷完成して前蓋の送出口より送出されるのを検出し、紙が使用者に切り取られた時、ラベルマシンは次の印刷完成したラベル紙を送出口外部に送出し、使用者の使用に供する。
【実施例１】
【０００９】
　図２は本考案の紙送出装置の立体分解図である。図示されるように、本考案のラベルマシンの紙送出装置は、ラベルマシン（図示せず）内部の紙送出装置１０として使用され、回転軸１と、該回転軸１の両側に組み付けられた支持フレーム３、３’と、該回転軸１の一側に配置されると共にラベルマシン内部の伝動機構（図示せず）の伝動を受けて回転軸１を駆動し回転させる従動手段４と、該回転軸１の両側に配置された制限手段５、５’とで構成されている。該紙送出装置１０がラベルマシン内部に配置される時、着脱可能な分離式回転軸を形成し、修理に不便で、着脱が煩瑣である問題を解決する。
【００１０】
　上述の回転軸１はロッド１１を具え、該ロッド１１の二つの自由端にそれぞれ一組の制限手段５、５’が組み付けられる凹部１２、１２’が設けられ、並びにいずれか一端に位置合わせ部１３が設けられ、ロッド１１はさらに回転部１４を具えている。
【００１１】
　該支持フレーム３、３’は、支持部３１を具え、この支持部３１内に収容空間３２があり、該収容空間３２に上述の回転軸１のロッド１１が通される。また、該支持部３１の二つの自由端に保持部３３、３４が延設され、該保持部３３、３４がラベルマシン下ケースの組み付けエリア（図示せず）の上縁部分に係止され、また、前述の支持部３１の両側に係止部３５、３６があり、支持フレーム３がラベルマシン下ケースの組み付けエリアに組み付けられる時、支持フレーム３、３’の脱落を防止する。また、該支持部３１の両側に相互に対称な組み付け部２、２’が延設され、組み付け部２、２’に組み付け孔２１、２１’が設けられ、回転軸１のロッド１１の組み付けに供される。
【００１２】
　該従動手段４は、歯車で構成され、ラベルマシン内部の伝動機構と噛み合う噛合部４１があり、且つ中央部分に組み付け孔４２があり、該組み付け孔４２に上述の位置合わせ部１３に対応し組み合わされる位置合わせ面４３があり、組立者が簡単に従動手段４をロッド１１に正確にロッド１１に取り付けられる。以上により新規な紙送出装置１０が構成される。
【００１３】
　図３、４、５、６は本考案の紙送出装置とラベルマシンの分解及び側面断面動作及び前面断面図である。図示されるように、紙送出装置１０の組立完成後、該紙送出装置１０はラベルマシン２０の下蓋６の送出エリア６１に取り付けられ、紙送出装置１０の両側の支持フレーム３、３’及び従動手段４は前述の送出エリア６１両側の組み付けエリア６２内部の係止部６３に係止され、従動手段４は組み付けエリア６２まで延伸された伝動機構（図示せず）に駆動された後、回転軸１を駆動し回転させる。
【００１４】
　回転軸１の回転により、紙（ラベル紙）が駆動され作動し、バーコード印刷が行なわれ、バーコード印刷完成後に、該紙送出装置が紙をラベルマシン２０の送出エリア６１よりラベルマシン２０の外部に送出する。
【００１５】
　ラベルマシン２０の使用過程で、もし紙づまりが発生したり或いは回転軸１を掃除する必要が生じた時は、まずラベルマシン２０の上蓋７を開き、手指で支持フレーム３の保持部３４或いは３３を押して、支持部３１内部の収容空間３２の内径を縮小させ、支持部３１両側の係止部３５、３６を組み付けエリア６２内部の係止部６３より離脱させれば、紙送出装置１０全体を取り出して掃除或いは交換することができる。
【００１６】
　図３の本考案の紙送出装置とラベルマシンの分解図に示されるように、下蓋６の送出エリア６１に紙を検出する検出ユニット８が設けられ、この検出ユニット８はクローズエンド式、感応式或いは接触式の任意のセンサで構成される。検出ユニット８が送出エリア６１に配置される時、この検出ユニット８は紙送出装置１０の前後位置に配置可能で、紙（ラベル紙）が印刷完成して送出された後の位置決めに供される。
【００１７】
　或いは、前蓋９の送出口９１の載置板９２に別に検出ユニット８’が設けられ、紙の印刷が完成して前蓋９の送出口９１より送出されて、使用者が紙を切り取る時、検出ユニット８’が紙の切り取り検出後に信号をラベルマシン２０内部の制御回路（図示せず）に送り、伝動機構に紙送出装置１０を駆動させ、並びに次の印刷完成した紙を送出口９１外部に送出させ、使用者の使用に供する。
【図面の簡単な説明】
【００１８】
【図１】周知のラベルマシンの紙の検出送出装置表示図である。
【図２】本考案の紙送出装置の分解斜視図である。
【図３】本考案の紙送出装置とラベルマシンの分解図である。
【図４】本考案の紙送出装置とラベルマシンの組合せ側面断面動作表示図である。
【図５】本考案の紙送出装置とラベルマシンの組合せ側面断面動作表示図である。
【図６】本考案の紙送出装置とラベルマシンの前面断面図である。
【符号の説明】
【００１９】
１０　紙送出装置
１　回転軸
３、３’　支持フレーム
４　従動手段
５、５’　制限手段
１１　ロッド
１２、１２’　凹部
１３　位置合わせ部
１４　回転部
３１　支持部
３２　収容空間
３３、３４　保持部
３５、３６　係止部
２、２’　組み付け部
２１、２１’　組み付け孔
４１　噛合部
４２　組み付け孔
４３　位置合わせ面
２０　ラベルマシン
６　下蓋
６１　送出エリア
６２　組み付けエリア
６３　係止部
７　上蓋
８　検出ユニット
９　前蓋
９１　送出口
９２　載置板
８’　検出ユニット
【図１】
0003100167.tif 000003
【図２】
0003100167.tif 000004
【図３】
0003100167.tif 000005
【図４】
0003100167.tif 000006
【図５】
0003100167.tif 000007
【図６】
0003100167.tif 000008